(57)【要約】【課題】空調設備の遠隔リアルタイム資産管理システムを提供する。【解決手段】ネットワークシステムを介して、遠隔地の空調設備についてリアルタイムに資産モニター管理する操作に適用される空調設備の遠隔リアルタイム資産管理システムにおいて、制御された空調設備の運転状態をリアルタイムでモニター管理することにより、空調設備の遠隔モニター機能を実現し、さらに運営コストの節約が図られる。【選択図】図１
2009169946.tif 000002
【特許請求の範囲】
【請求項１】
データ処理装置に適用され、空調設備をモニター管理するための空調設備の遠隔リアルタイム資産管理システムにおいて、
異なる空調設備に対応する資産データ、作動状況記録データ、作動状況と資産状態の関連データ及び/又はモニター時間データを格納するための格納ユニットと、
空調設備に搭載され空調設備の作動状況をモニターし、モニターされた作動状況を前記格納ユニットに格納するためのモニターユニットと、
前記格納ユニットに格納された資産データ、作動状況記録データ及び作動状況と資産状態の関連データに基づいて、空調設備の作動状況に対応する資産状態を判断するための分析モジュールと、
資産状態を空調設備の使用者側に通知するための通知モジュールと、
を備えることを特徴とする空調設備の遠隔リアルタイム資産管理システム。
【請求項２】
異なる空調設備に対応する資産記録が格納されている資産管理側に搭載され、資産状態に基づいて資産管理側の資産記録を設定するための設定モジュールをさらに備えることを特徴とする請求項１に記載の空調設備の遠隔リアルタイム資産管理システム。
【請求項３】
前記資産管理側が、資産異動状態、資産異動性質、減価償却期間増減、現有数量増減、原価増減、残高増減、累進減価償却、減価償却済み期間、残り減価償却期間、現有数量合計、資産原価合計、資産残高合計及び／又は資産正価等を含む資産記録の管理を行うことを特徴とする請求項２に記載の空調設備の遠隔リアルタイム資産管理システム。
【請求項４】
前記モニターユニットが、前記格納ユニットに予め格納されたモニター時間データに基づいて、定期、不定期に及び／又はスケジューリング方式により前記空調設備の作動状況をモニターすることを特徴とする請求項１に記載の空調設備の遠隔リアルタイム資産管理システム。
【請求項５】
前記モニターユニットが、前記空調設備の作動状況をモニターした場合、該空調設備の作動状況を前記格納ユニットの作動状況記録データに格納することを特徴とする請求項４に記載の空調設備の遠隔リアルタイム資産管理システム。
【請求項６】
前記資産データが、資産番号、資産名称、資産数量、取得期日、記帳期日、資産原価、資産市場価格、資産正価、使用期限、減価償却方法、資産の所属部署及び管理担当部署等のいずれか１つまたはそれらの組み合わせからなり、前記作動状況記録データが、空調設備の開閉状態、作動時間、負荷電圧、負荷電流及び電力消費パワー等のいずれか１つまたはそれらの組み合わせからなり、前記作動状況と資産状態の関連データが、所定の空調設備正常作動パラメータ及び／又は所定の空調設備異常作動パラメータ、所定の正常作動パラメータ及び所定の異常作動パラメータに対応する資産状態メッセージのいずれか１つまたはそれらの組み合わせからなることを特徴とする請求項１に記載の空調設備の遠隔リアルタイム資産管理システム。
【請求項７】
前記所定の空調設備正常作動パラメータが、正常開閉状態、作動時間、負荷電圧、負荷電流及び電力消費パワー範囲パラメータのいずれか１つまたはそれらの組み合わせからなり、前記所定の空調設備異常作動パラメータが、異常開閉状態、作動時間、負荷電圧、負荷電流及び電力消費パワー範囲パラメータのいずれか１つまたはそれらの組み合わせからなることを特徴とする請求項６に記載の空調設備の遠隔リアルタイム資産管理システム。
【請求項８】
前記使用者側とは、前記データ処理装置の使用者側のことで、資産状態は前記データ処理装置を介して電子メール、ウィンドウメッセージ、マルチメディアメッセージ、電話音声及び／又は携帯メール等の形式によって使用者側に通知されることができることを特徴とする請求項１に記載の空調設備の遠隔リアルタイム資産管理システム。
【請求項９】
前記使用者側とは、携帯式通信装置であり、資産状態は前記データ処理装置を介して電子メール、ウィンドウメッセージ、マルチメディアメッセージ、電話音声及び／又は携帯メール等の形式によって使用者側に伝送されることができることを特徴とする請求項１に記載の空調設備の遠隔リアルタイム資産管理システム。
【請求項１０】
資産モニター側及び空調設備モニター側に区画され、該資産モニター側に前記格納ユニット、分析モジュール及び／又は通知モジュールが設けられ、該空調設備モニター側に前記モニターユニットが設けられていることを特徴とする請求項１に記載の空調設備の遠隔リアルタイム資産管理システム。
【請求項１１】
ローカルエリアネットワークシステムに搭載され、このネットワークシステムに前記資産モニター側及び空調設備モニター側が構築されていることを特徴とする請求項１０に記載の空調設備の遠隔リアルタイム資産管理システム。
【請求項１２】
広域ネットワークシステムに搭載され、このネットワークシステムに前記資産モニター側及び空調設備モニター側がそれぞれ分散構築されていることを特徴とする請求項１１に記載の空調設備の遠隔リアルタイム資産管理システム。
【請求項１３】
前記のローカルエリア又は広域ネットワークシステムのリンク方式が有線式のＡＤＳＬ  （Ａｓｙｍｍｅｔｒｉｃ  Ｄｉｇｉｔａｌ  Ｓｕｂｓｃｒｉｂｅｒ  Ｌｉｎｅ、非対称型デジタル加入者回線）  又はＦＴＴＢ  （Ｆｉｂｅｒ  Ｔｏ  Ｔｈｅ  Ｂｕｉｌｄｉｎｇ、光ファイバーを加入者の建物まで引き込んで行なう通信サービスの総称）のネットワークリンク及び／又は無線式（ｗｉｒeｌｅｓｓ）のネットワークリンクを採用することを特徴とする請求項１１又は１２に記載の空調設備の遠隔リアルタイム資産管理システム。
【請求項１４】
上記のローカルエリア又は広域ネットワークシステムの構造が、インターネット（Ｉｎｔｅｒｎｅｔ）、イントラネット（ｉｎｔｒａｎｅｔ）、エクストラネット（ｅｘｔｒａｎｅｔ）、有線／無線式のローカルエリアネットワーク（Ｌｏｃａｌ  Ａｒｅａ  Ｎｅｔｗｏｒｋ,ＬＡＮ）、又はバーチャルプライベートネットワーク（Ｖｉｒｔｕａｌ  Ｐｒｉｖａｔｅ  Ｎｅｔｗｏｒｋ，  ＶＰＮ）のいずれか１つであることを特徴とする請求項１１又は１２に記載の空調設備の遠隔リアルタイム資産管理システム。
【発明の詳細な説明】
【技術分野】
【０００１】
本発明は、コンピュータネットワーク技術に関し、より詳しくは、使用者がネットワークシステムを介して遠隔地の空調設備の資産をリアルタイムにモニター管理する操作に適用される空調設備の遠隔リアルタイム資産管理システムに関するものである。
【背景技術】
【０００２】
空調設備は、さまざまな建物の内部、特に大型営業施設（例えばオフィスビル、工場、ホテル、病院、コンビニ、スーパー、量販店、デパート、劇場、展覧会場）に広汎に応用され取り付けられる電機設備である。現状において、空調設備は、冷暖房機、空調機（Ａｉｒ  Ｈａｎｄｌｉｎｇ  Ｕｎｉｔ，  ＡＨＵ）、プレクーリング空調機（Ｐｒｅｃｏｏｌｉｎｇ  Ａｉｒ  Ｈａｎｄｌｅｒ，  ＰＡＨ）、送風機（Ｆａｎ  Ｃｏｉｌ  Ｕｎｉｔ，  ＦＣＵ）、吸気機（Ｅｘｈａｕｓｔ  Ｆａｎ）、給水タンク設備、モーター及び／又は冷水輸送設備等を含んで構成されているのが一般的である。
【０００３】
これらの空調設備は、企業の固定資産に属し、一般で通用している会計規則によれば、それらの固定資産は企業、投資家又は主管機関が企業資産の項目を審査する際の参考データとして資産バランスシートに計上する必要がある。
【０００４】
従来の空調設備の資産管理では、普通それらの空調設備を購入した後、技術員によって取り付けられ、取り付けられた後、運転の過程において空調設備の管理者が定期的又は不定期的に空調設備の状況をモニターしたり保守したりする。若しくは使用者が使用過程において空調設備の故障を発見した場合、管理者に設備点検を行うよう通報する。管理者が上記のモニター、維持保守や点検の内容を記録する時に、故障や廃棄すべき設備を発見した場合には、経理担当部署に故障した旨又は廃棄処分した旨の報告をする必要がある。
【０００５】
ただし、上述したような従来の空調設備の資産管理方法では、具体的な実施において極めて手間がかかり、効率が悪いという欠点があった。また、空調設備に異常作動状況が発生した場合に、空調設備の管理者や経理担当部署は即時にそれを知ることができず、このため資産管理の遅延を招くことがあった。
【発明の開示】
【発明が解決しようとする課題】
【０００６】
そこで、以上のとおりの事情に鑑み、本発明は、設備管理者がネットワークを介して遠隔地の空調設備の資産をリアルタイムにモニター管理するための、空調設備の遠隔リアルタイム資産管理システムを提供することを課題とする。
【０００７】
また、本発明は、制御された空調設備に異常作動状況が発生した場合、管理者が即時にこの状況を知り、維持保守の操作を行うようにするための空調設備の遠隔リアルタイム資産管理システムを提供することを課題とする。
【課題を解決するための手段】
【０００８】
上記の課題を解決するために、本発明に係る空調設備の遠隔リアルタイム資産管理システムは、異なる空調設備に対応する資産データ、作動状況記録データ及び作動状況と資産状態の関連データを格納するための格納ユニットと、空調設備に搭載され空調設備の作動状況をモニターし、モニターされた作動状況を格納ユニットに格納するためのモニターユニットと、格納ユニットに格納された資産データ、作動状況記録データ及び作動状況と資産状態の関連データに基づいて、空調設備の作動状況に対応する資産状態を判断するための分析モジュールと、資産状態を空調設備の使用者側に通知するための通知モジュールと、を備えている。
【０００９】
また、本発明の一つの実施形態において、本発明に係る空調設備の遠隔リアルタイム資産管理システムは、異なる空調設備に対応する資産記録が格納されている資産管理側に搭載され、資産状態に基づいて資産管理側の資産記録を設定するための設定モジュールをさらに備えている。
【００１０】
また、本発明の一つの実施形態において、本発明に係る空調設備の遠隔リアルタイム資産管理システムは、資産モニター側及び空調設備モニター側に区画され、資産モニター側に格納ユニット、分析モジュール、通知モジュール及び／又は設定モジュールが設けられ、空調設備モニター側にモニターユニットが設けられている。
【００１１】
また、本発明の一つの実施形態において、本発明に係る空調設備の遠隔リアルタイム資産管理システムは、ローカルエリアネットワークシステムに搭載され、このネットワークシステムに資産モニター側及び空調設備モニター側が構築されてよい。
【００１２】
また、本発明の一つの実施形態において、本発明に係る空調設備の遠隔リアルタイム資産管理システムは、広域ネットワークシステムに搭載され、このネットワークシステムに資産モニター側及び空調設備モニター側がそれぞれ分散構築されてよい。
【００１３】
従来の技術に比較して、本発明に係る空調設備の遠隔リアルタイム資産管理システムでは、格納ユニット、モニターユニット、分析モジュール、通知モジュール及び／又は設定モジュール間の相互作動を利用しているため、空調設備の管理者がデータ処理装置及び／又はネットワークシステムを介して、近接地又は遠隔地における空調設備をネットワーク上でリアルタイムに資産のモニター管理をすることができるほか、制御された空調設備に異常作動状況が発生した場合、管理者が即時にこの状況を知り維持保守の操作を行うようにすることができる。
【発明を実施するための最良の形態】
【００１４】
下記において特定の具体的な実施例により、本発明の実施形態を説明する。明細書に記載の内容は、この技術分野に精通した者なら簡単に本発明のその他の利点や効果が理解できる。本発明は、その他の異なる実施例によって実施や応用を加えることが可能であり、明細書に記載の内容も異なる観点や応用に基づき、本発明の主旨を逸脱しない範囲で様々な修飾や変更が可能であり、そうした修飾や変更は本発明の請求範囲に含まれるものである。
（第１の実施形態）
【００１５】
図１は、本発明に係る空調設備の遠隔リアルタイム資産管理システムの第１の実施形態の応用構成を模式的に示した図である。図に示すように、本発明に係る空調設備の遠隔リアルタイム資産管理システムは、データ処理装置に適用されており、格納ユニット１０、モニターユニット１２、分析モジュール１４及び通知モジュール１６を備えている。データ処理装置は、例えばパソコン、ノートブックパソコン、サーバまたはワークステーション等、データ処理機能を有する装置であってよい。
【００１６】
本実施形態において、本発明に係る空調設備の遠隔リアルタイム資産管理システムは、空調設備をモニターするためのものであり、具体的には、空調設備２は、冷暖房機２０、空調機２１、プレクーリング空調機２２、送風機２３、吸気機２４、給水タンク設備２５、モーター２６及び冷水輸送設備２７等の設備を備えている。ここでは、本発明の他の実施形態において、空調設備２は、上記の負荷設備のいずれか１つまたはそれらの組み合わせからなってもよいし、その他の類似した負荷設備であってもよい。
【００１７】
格納ユニット１０は、異なる空調設備に対応する資産データ、作動状況記録データ及び作動状況と資産状態の関連データを格納するためのものである。この実施形態において、資産データは、資産番号、資産名称、資産数量、取得期日、記帳期日、資産原価、資産市場価格、資産正価、使用期限、減価償却方法、資産の所属部署及び管理担当部署等を含む。作動状況記録データは、空調設備の開閉状態、作動時間、負荷電圧、負荷電流及び電力消費パワー等を含む。作動状況と資産状態の関連データは、所定の空調設備正常作動パラメータ、例えば正常開閉状態、作動時間、負荷電圧、負荷電流及び電力消費パワー範囲パラメータと、所定の空調設備異常作動パラメータ、例えば異常開閉状態、作動時間、負荷電圧、負荷電流及び電力消費パワー範囲パラメータと、所定の正常作動パラメータ及び所定の異常作動パラメータに対応する資産状態メッセージと、を含む。格納ユニット１０は、例えば揮発性又は不揮発性の記憶ユニットであってよく、データベース形式として構築されてもよい。
【００１８】
モニターユニット１２は、空調設備に搭載され空調設備の作動状況をモニターし、モニターされた作動状況を格納ユニット１０に格納するためのものである。この実施形態において、モニターユニット１２は、冷暖房機２０、空調機２１、プレクーリング空調機２２、送風機２３、吸気機２４、給水タンク設備２５、モーター２６及び冷水輸送設備２７に搭載され、上記の空調設備の開閉状態、作動時間、負荷電圧、負荷電量及び電力消費パワーをモニターするためのものである。またモニターユニット１２は、格納ユニットに予め格納されたモニター時間データに基づいて、空調設備の作動状況を定期、不定期に及び／又はスケジューリング方式によりモニターすることができるのが好ましい。モニターユニット１２は、上記の空調設備の作動状況がモニターされた場合、各空調設備の作動状況を格納ユニット１０の作動状況記録データに格納する。
【００１９】
分析モジュール１４は、格納ユニット１０の資産データ、作動状況記録データ及び作動状況と資産状態の関連データに基づいて空調設備の作動状況に対応する資産状態を判断するためのものである。上記のように、モニターユニット１２は上記のそれらの空調設備の作動状況をモニターして、各空調設備の作動状況を格納ユニット１０の作動状況記録データに格納した後、分析モジュール１４は、空調設備に対応する資産データに基づいて、モニターユニット１２がモニターした空調設備が何であるかを判断し、格納ユニット１０におけるモニターユニット１２によってモニターされた空調設備の開閉状態、作動時間、負荷電圧、負荷電流及び電力消費パワー等の作動状況に基づいて、各モニターユニット１２によってモニターされたそれらの作動状況が所定の正常作動パラメータ又は所定の異常作動パラメータの範囲に該当するかどうかを分析し、分析された所定の正常作動パラメータ及び所定の異常作動パラメータの範囲に基づいて、空調設備に対応する資産状態メッセージが何であるかを判断する。
【００２０】
通知モジュール１６は、資産状態を空調設備の使用者側に通知するためのものである。上記のように、分析モジュール１４は、モニターユニット１２の空調設備のそれぞれの空調設備正常作動パラメータ及び／又は異常作動パラメータに対応する資産状態メッセージを判断した後、資産状態メッセージを使用者側３に通知する。この実施形態において、使用者側３は、データ処理装置の使用者側であってよく、資産状態はデータ処理装置を介して電子メール、ウィンドウメッセージ、マルチメディアメッセージ等の形式によって使用者側３に通知されることができる。本発明の他の実施形態において、使用者側３は、その他の携帯式通信装置、例えば携帯電話、個人用携帯情報端末（Ｐｅｒｓｏｎａｌ  Ｄｉｇｉｔａｌ  Ａｓｓｉｓｔａｎｔ、ＰＤＡ）又はノートブックパソコンであってよく、資産状態はデータ処理装置により無線通信ネットワークを介して電子メール、ウィンドウメッセージ、マルチメディアメッセージ、電話音声及び／又は携帯メール等の形式によって使用者側３に伝送されることができる。
【００２１】
例えば、分析モジュール１４は、空調設備に対応する資産データに基づいてモニターユニット１２によってモニターされた空調設備が冷暖房機２０であると判断し、格納ユニット１０におけるモニターユニット１２によってモニターされた冷暖房機２０の作動状況に基づいて、各モニターユニット１２によってモニターされたそれらの作動状況が所定の異常作動パラメータの範囲に該当するかどうかを分析し、分析された所定の異常作動パラメータの範囲に基づいて、冷暖房機２０に対応する資産状態メッセージが異常であると判断し、通知モジュール１６を介して冷暖房機２０の異常のメッセージを使用者側３に通知する。
（第２の実施形態）
【００２２】
図２は、本発明に係る空調設備の遠隔リアルタイム資産管理システムの第２の実施形態の応用構成を模式的に示した図である。図に示すように、本発明に係る空調設備の遠隔リアルタイム資産管理システムは第１の実施形態の応用とほぼ同一であるが、異なる点は、本実施形態において、本発明に係る空調設備の遠隔リアルタイム資産管理システムはさらに異なる空調設備に対応する資産記録が格納されている資産管理側４に搭載され、資産状態に基づいて資産管理側４の資産記録を設定するための設定モジュール１８を備えることにある。
【００２３】
具体的に言えば、資産管理側４は、例えばデータ処理装置において資産管理機能を有するサーバ（ｓｅｒｖｅｒ）側又はクライアント（ｃｌｉｅｎｔ）側に応用されてよい。使用者は、資産管理側４を介して例えば資産異動状態、資産異動性質、減価償却期間増減、現有数量増減、原価増減、残高増減、累進減価償却、減価償却済み期間、残り減価償却期間、現有数量合計、資産原価合計、資産残高合計、資産正価等の資産記録管理を行うことができる。
【００２４】
本実施形態において、分析モジュール１４は、空調設備に対応する資産データに基づいて、モニターユニット１２がモニターした空調設備が何であるかを判断し、格納ユニット１０におけるモニターユニット１２によってモニターされた空調設備の作動状況に基づいて、各モニターユニット１２に対応するそれらの正常作動パラメータ及び異常作動パラメータに対応する資産状態メッセージが何であるかを判断した後、設定モジュール１８は、分析モジュール１４によって判断された資産状態に基づいて資産管理側４の資産記録を設定する。
【００２５】
上記の第１の実施形態のように、分析モジュール１４が、冷暖房機２０に対応する資産状態メッセージは異常であると判断した後、設定モジュール１８が、分析モジュール１４によって判断された資産状態メッセージに基づいて資産管理側４の冷暖房機２０の資産記録は異常であると判断する。
（第３の実施形態）
【００２６】
図３は、本発明に係る空調設備の遠隔リアルタイム資産管理システムの第３の実施形態の応用構成を模式的に示した図である。図に示すように、本発明に係る空調設備の遠隔リアルタイム資産管理システムは、資産モニター側５及び空調設備モニター側６に区画されている。又、第３の実施形態は第１の実施形態又は第２の実施形態と合わせてもよく、ここでは第２の実施形態と合わせて説明する。資産モニター側５には、格納ユニット１０、分析モジュール１４、通知モジュール１６及び／又は設定モジュール１８が設けられている。空調設備モニター側６には、モニターユニット１２、冷暖房機２０、空調機２１、プレクーリング空調機２２、送風機２３、吸気機２４、給水タンク設備２５、モーター２６及び冷水輸送設備２７等の設備が設けられている。
【００２７】
好ましくは、本発明に係る空調設備の遠隔リアルタイム資産管理システムは、ローカルエリアネットワークに搭載され、このネットワークに資産モニター側５及び空調設備モニター側６が構築されてもよい。
【００２８】
また、本発明に係る空調設備の遠隔リアルタイム資産管理システムは、広域ネットワークシステムに搭載され、このネットワークシステムに資産モニター側５及び空調設備モニター側６がそれぞれ分散構築されてよい。より具体的に言えば、資産モニター側５がサーバ側であり、空調設備モニター側６がクライアント側である。
【００２９】
上記のローカルエリア又は広域ネットワークシステムのリンク方法は、例えば有線式のＡＤＳＬ  （Ａｓｙｍｍｅｔｒｉｃ  Ｄｉｇｉｔａｌ  Ｓｕｂｓｃｒｉｂｅｒ  Ｌｉｎｅ、非対称型デジタル加入者回線）  又はＦＴＴＢ  （Ｆｉｂｅｒ  Ｔｏ  Ｔｈｅ  Ｂｕｉｌｄｉｎｇ、光ファイバーを加入者の建物まで引き込んで行なう通信サービスの総称）のネットワークリンク及び／又は無線式（ｗｉｒeｌｅｓｓ）のネットワークリンクを採用することができる。構造としては、インターネット（Ｉｎｔｅｒｎｅｔ）、イントラネット（ｉｎｔｒａｎｅｔ）、エクストラネット（ｅｘｔｒａｎｅｔ）、有線／無線式のローカルエリアネットワーク（Ｌｏｃａｌ  Ａｒｅａ  Ｎｅｔｗｏｒｋ,ＬＡＮ）、又はバーチャルプライベートネットワーク（Ｖｉｒｔｕａｌ  Ｐｒｉｖａｔｅ  Ｎｅｔｗｏｒｋ，  ＶＰＮ）等が挙げられる。
【００３０】
上記のように、本発明に係る空調設備の遠隔リアルタイム資産管理システムは、格納ユニット、モニターユニット、分析モジュール、通知モジュール及び／又は設定モジュール間の相互作動を利用しているため、空調設備の管理者がデータ処理装置及び／又はネットワークシステムを介して、近接地又は遠隔地における空調設備をリアルタイムでネットワーク化資産モニター管理することができるほか、制御された空調設備に異常作動状況が発生した場合、管理者が即時にこの状況を知り維持保守の操作を行うようにすることができる。
【００３１】
上記のように、これらの実施の形態は本発明の原理及び効果・機能を例示的に説明するものであり、本発明は、これらによって限定されるものではない。本発明に係る実質的な技術内容は、下記の特許請求の範囲に定義される。本発明は、この技術分野に精通した者により特許請求の範囲を逸脱しない範囲で色々な修飾や変更をすることが可能であり、そうした修飾や変更は本発明の請求範囲に含まれるものである。
【図面の簡単な説明】
【００３２】
【図１】本発明に係る空調設備の遠隔リアルタイム資産管理システムの第１の実施形態の応用構成を模式的に示した図である。
【図２】本発明に係る空調設備の遠隔リアルタイム資産管理システムの第２の実施形態の応用構成を模式的に示した図である。
【図３】本発明に係る空調設備の遠隔リアルタイム資産管理システムの第３の実施形態の応用構成を模式的に示した図である。
【符号の説明】
【００３３】
１０  格納ユニット
１２  モニターユニット
１４  分析モジュール
１６  通知モジュール
１８  設定モジュール
２  空調設備
２０  冷暖房機
２１  空調機
２２  プレクーリング空調機
２３  送風機
２４  吸気機
２５  給水タンク設備
２６  モーター
２７  冷水輸送設備
３  使用者側
４  資産管理側
５  資産モニター側
６  空調設備モニター側
【図１】
2009169946.tif 000003
【図２】
2009169946.tif 000004
【図３】
2009169946.tif 000005